(57)【要約】【課題】巻回されている生地原反を裁断可能な状態にして解反生地の緊張を解く解反加湿と、生地表面の汚れや傷などを目視で検査する生地検査とを行うにあたり、装置の設置コストを低減し、設置スペースを小さくし、両作業のための工数を低減する。【解決手段】生地原反４０を支持する原反支持部３Ａ、３Ｂと、原反支持部に支持された生地原反の一端を引き出して解反生地４０ａを移送する移送部３Ｃ、３Ｄ、３Ｅと、移送部によって移送中の解反生地の表面を検査するため、解反生地の裏面側に照明装置５ａを備えた検査部５と、移送部によって移送中の解反生地の表面に蒸気を噴射する加湿部８とを備える解反加湿機１。照明装置は、直方体状に形成され、前面から光を外部に向かって照射可能な本体と、本体内に収容される光源とを備えることができる。【選択図】図１
2007211377.tif 000002
【特許請求の範囲】
【請求項１】
生地原反を支持する原反支持部と、
該原反支持部に支持された生地原反の一端を引き出して解反生地を移送する移送部と、
該移送部によって移送中の解反生地の表面を検査するため、該解反生地の裏面側に照明装置を備えた検査部と、
前記移送部によって移送中の解反生地の表面に蒸気を噴射する加湿部とを備えることを特徴とする解反加湿機。
【請求項２】
前記照明装置は、
直方体状に形成され、前面から光を外部に向かって照射可能な本体と、
該本体内に収容される光源とを備えることを特徴とする請求項１に記載の解反加湿機。
【発明の詳細な説明】
【技術分野】
【０００１】
本発明は、解反加湿機に関し、特に、巻回された生地原反を裁断可能な状態にほどく解反と、解反生地の表面の検査と、解反生地の緊張を解くための加湿とを一挙に行うことのできる解反加湿機に関する。
【背景技術】
【０００２】
従来、例えば、特許文献１に記載のように、解反生地を原反支持ローラー上に支持し、モーターによって原反支持ローラーを回転させることにより、自動的に生地を繰り出して解反生地を裁断できるようにする解反装置と、解反中に蒸気を生地に噴出することにより、解反生地の緊張を解くため、スチームパイプや、スチームチャンバー等を備えた加湿装置との両方を備えた解反加湿機が使用されている。
【０００３】
一方、上記の解反加湿機とは別に、解反生地の表面の傷や汚れなどを検査するため、解反生地の背後から蛍光灯等で照明し、目視で解反生地を検査し、傷や汚れなどを発見した場合には、当該部分にマーキングするなどの処置を行う生地検査装置が存在した。
【０００４】
【特許文献１】実用新案登録第３０７４３４３号公報
【発明の開示】
【発明が解決しようとする課題】
【０００５】
上述のように、従来、自動的に解反して生地の緊張を解く解反加湿機と、生地表面の傷や汚れなどを検査する生地検査装置は、別々の機械として存在していたため、装置の製造コストが高く、装置の設置のために広いスペースを必要とし、各々の装置に配員する必要があるため作業に多くの工数を必要とする問題があった。
【０００６】
そこで、本発明は、上記従来の技術における問題点に鑑みてなされたものであって、巻回されている生地原反を裁断可能な状態にするとともに、解反生地の緊張を解く解反加湿と、生地表面の汚れや傷などを目視で検査する生地検査とを行うにあたって、装置の設置コストを低減し、設置スペースを小さくし、両作業のための工数を低減することを目的とする。
【課題を解決するための手段】
【０００７】
上記目的を達成するため、本発明は、解反加湿機であって、生地原反を支持する原反支持部と、該原反支持部に支持された生地原反の一端を引き出して解反生地を移送する移送部と、該移送部によって移送中の解反生地の表面を検査するため、該解反生地の裏面側に照明装置を備えた検査部と、前記移送部によって移送中の解反生地の表面に蒸気を噴射する加湿部とを備えることを特徴とする。
【０００８】
そして、本発明によれば、照明装置を備えた検査部によって、移送中の解反生地の表面を検査することができるため、巻回された生地原反を裁断可能な状態に解き、解反生地の緊張を解く解反加湿と、生地に光をあてて生地表面の汚れや傷などを目視で検査する生地検査を一台の装置で一挙に行うことができ、上記一連の工程を実施するにあたって、装置の製造コストを低減し、装置の設置スペースを小さくし、両作業のための工数を低減することが可能となる。
【０００９】
前記解反加湿機において、前記照明装置を、直方体状に形成され、前面から光を外部に向かって照射可能な本体と、該本体内に収容される光源とで構成することができる。
【発明の効果】
【００１０】
以上のように、本発明にかかる解反加湿機によれば、解反加湿と、生地検査とを行うにあたって、装置の製造コストを低減し、装置の設置スペースを小さくし、両作業のための工数を低減することが可能となる。
【発明を実施するための最良の形態】
【００１１】
図１は、本発明にかかる解反加湿機の一実施の形態を示し、この解反加湿機は、大別して、本体２と、本体２の背部側に生地原反４０を載置して支持するための原反支持ローラー３Ａ、３Ｂと、原反支持ローラー３Ａ、３Ｂや、解反生地揺動機構のスプロケット７等を駆動するためのモーター４と、解反生地４０ａの傷、汚れなどを目視で検査するため、照明装置５ａを備えた検査部５と、解反生地４０ａの緊張を解くために加湿する加湿部８と、解反加湿を終えた解反生地４０ａを、折り畳むための振り落としレバー９等で構成される。
【００１２】
２つの原反支持ローラー３Ａ、３Ｂは、生地原反４０を支持するために備えられ、両支持ローラー３Ａ、３Ｂの各一側に設けられた図示しないルート駆動用スプロケットギア（以下、「スプロケットギア」という）に掛け回される原反解反駆動の無端状チエーン４Ａを介し、モーター４の回転によって回転し、生地原反４０を繰り出す。
【００１３】
モーター４は、２つの原反支持ローラー３Ａ、３Ｂを回転させるとともに、解反移送用ローラー３Ｃ、３Ｄ、スプロケット７等をルート駆動の無端状チェーン４Ｂを介して回転させる。
【００１４】
検査部５は、照明装置５ａを備え、目視で解反生地４０ａの傷や汚れなどを検査するために設けられ、作業者が傷や汚れなどを発見した場合には、モーター４を停止したり、モーター４を逆転させるなどをして、その傷等があった部分にマーキング等を行う。照明装置５ａは、直方体状に形成され、解反生地４０ａの裏面側から表面側に光を照射可能な本体と、本体内に収容される蛍光灯等の光源とを備える
【００１５】
スプロケット７は、振り落としレバー９を前後に揺動するために設けられ、テンションスプロケット３Ｅを介してモーター４の回転が伝えられる。
【００１６】
解反移送用ローラー３Ｃ、３Ｄ、テンションスプロケット３Ｅ、は、解反生地４０ａを移送するために設けられ、これらは、モーター４の回転によって、解反移送用ローラー３Ｃ、３Ｄの各々に設けられた図示しないスプロケットギア及びテンションスプロケット３Ｅに掛架されたチェーン４Ｂを介して回転する。
【００１７】
加湿部８は、蒸気を噴射することによって解反生地４０ａの緊張を解くために設けられ、図示しないスチームパイプ、スチームチャンバー等を備える。
【００１８】
振り落としレバー９は、解反生地４０ａにおける静電気の発生を防止するとともに、解反生地４０ａを解反生地積重基台２ｂに積重するために備えられ、強制揺動される解反生地４０ａを振り落としレバー９の振幅によって折り返すため、図２に示すような平行バー９ａ、９ｂを備える。振り落としレバー９は、モーター４により、チェーン４Ｂが掛架されたスプロケット７の回転によって揺動する。
【００１９】
次に、上記構成を有する解反加湿機１の動作について詳細に説明する。
【００２０】
まず、生地原反４０を本体２の背部に位置する原反支持ローラー３Ａ、３Ｂの上に裁置し、解反加湿機１のモーター４を駆動し、モーター４の回転をチェーン４Ａを介して原反支持ローラー３Ａ、３Ｂの図示しないスプロケットギアに伝達し、２つの原反支持ローラー３Ａ、３Ｂを回転させる。原反支持ローラー３Ａ、３Ｂの回転により、生地原反４０の一端が繰り出され、移送される。
【００２１】
さらに、モーター４の回転がチェーン４Ｂを介して原反支持ローラー３Ａの図示しないスプロケットギアと、解反移送用ローラー３Ｃ、３Ｄと、スプロケット７に伝達され、解反移送用ローラー３Ｃ、３Ｄの回転によって、図１の矢印方向に解反生地４０ａが移送される。
【００２２】
解反生地４０ａの移送中に、作業員が検査部５において解反生地４０ａの傷や汚れを検査する。この際、照明装置５ａにより解反生地４０ａの背後から光が照射されているため、作業員は解反生地４０ａの表面の傷や汚れを容易に発見することができる。作業員が傷や汚れを発見した場合には、モーター４を停止させたり、逆転させ、傷や汚れのある部分及びその近傍にマーキング等を行う。
【００２３】
検査が終了した解反生地４０ａに対し、加湿部８において蒸気を噴射して加湿し、解反生地４０ａの緊張を解く。
【００２４】
加湿を終えた解反生地４０ａは、スプロケット７を介してモーター４の回転が伝えられた振り落としレバー９が揺動し、平行バー９ａ、９ｂによって折り返され、適当な長さに折り畳まれながら解反生地積重基台２ａ上に積重される。この際、振り落としレバー９が揺動することによって、解反生地４０ａにおける静電気の発生を防止することもできる。
【図面の簡単な説明】
【００２５】
【図１】本発明にかかる解反加湿機の一実施の形態を示す図であって、（ａ）は平面図、（ｂ）は要部機構を示す縦断面側面図である。
【図２】図１の解反加湿機を解反生地積重基台側から見た場合の斜視図である。
【符号の説明】
【００２６】
１  解反加湿機
２  本体
２ａ  解反生地積重基台
３Ａ、３Ｂ  原反支持ローラー
３Ｃ、３Ｄ  解反生地移送ローラー
３Ｅ  テンションスプロケット
４  モーター
４Ａ  原反回転駆動の無端状チエーン
４Ｂ  ルート駆動の無端状チエーン
５  検査部
５ａ  照明装置
７  スプロケット
８  加湿部
９  振落しレバー
９ａ  平行バー
９ｂ  平行バー
４０  生地原反
４０ａ  解反生地
【図１】
2007211377.tif 000003
【図２】
2007211377.tif 000004